(57)【要約】【課題】  つぼ押しや指圧を目的としたクッションは圧迫部分の配列が固定されており、個人の姿勢の癖になどで生じる指圧したい部分のずれに対応が不可能であり、デスクワーク等で使用した場合、椅子にクッションだけが置かれた状態になった時、いかにもマッサージ用品と分かるものであり、可愛らしさに欠けていた。【解決手段】  犬・猫等の肉球の形状をした２個１組の手のひらサイズのクッションで、内部にゴム等の球体を備えた肉球つぼ押しクッションである【選択図】図１
2019048016.tif 000002
【特許請求の範囲】
【請求項１】
犬・猫等の肉球の形状をした手のひらサイズのクッションであり、２個で１組なので左右の位置が好みで移動でき、置いた外観が可愛らしい、内部にスポンジゴム等柔軟な板とつぼ押し等を行うためのゴム等の球体を有し、柔軟な板は貫通した穴を設け、穴の形態は球体が収まる大穴、球体が少し沈み込む程度の中穴、球体が乗せられる程度の小穴で、直線状に並んだ状態であり、いずれかの穴に球体を移動させることで凸の高さを変化させ、圧迫の強弱をつけることができ、球体には貫通した穴を設け、穴に紐を通し、紐の両端を板に設けた穴の直線状の延長線にあたる板の両端に接着することで、球体の移動を板に設けた穴の並びに制限でき、クッションの膨らみは粒状のポリスチレン等を詰めることで維持し、ポリスチレン等をクッション内に余裕がある程度に詰めることで球体の移動が可能な状態を維持し、このクッション上に座ることで体重がかかり、球体の部分が圧迫されつぼ押しをしているかのような刺激が得られる。
以上を特徴とする肉球つぼ押しクッションである。
【発明の詳細な説明】
【技術分野】
【０００１】本発明は犬・猫等の肉球の形状した手のひらサイズのクッションであり、クッションの内部に球体のゴム等のつぼ押し部分を備えた肉球つぼ押しクッションである。
【背景技術】
【０００２】  従来、つぼ押しや指圧を目的としたクッションは圧迫部分の配列が固定されており、個人の姿勢の癖になどで生じる指圧したい部分のずれに対応が不可能であった（特許文献１参照）（特許文献２参照）。
又、移動可能なものはデスクワーク等で使用した場合、椅子にクッションだけが置かれた状態になった時、いかにもマッサージ用品と分かるものであった（特許文献３参照）（特許文献４参照）。
【先行技術文献】
【０００３】
【特許文献１】実開平０５−０３９５４９公報
【特許文献２】特開平０８−１９６３８９公報
【特許文献３】実用新案登録第３２０８１６７号公報
【特許文献４】特開２００８−００６２３４公報
【発明の概要】
【発明が解決しようとする課題】
【０００４】  参考文献に示される先行文献のデスクワークや長距離の運転等による疲労回復のためのつぼ押しや指圧を目的としたクッションは、圧迫する部分の配列が固定されており、個人の姿勢の癖になどで生じる指圧したい部分のずれやサイズの違いに対応が不可能であった。
又、移動可能なものはデスクワーク等で使用した場合、椅子にクッションだけが置かれた状態になった時、いかにもマッサージ用品と分かるものであり、オフィスで働く女性には不向きであった。
本発明は、以上の問題を解決するためになされたものである。
【問題を解決するための手段】
【０００５】  犬・猫等の肉球の形状をした手のひらサイズのクッションであり、２個で１組なので左右の位置が好みで移動でき、置いた外観が可愛らしい、内部にスポンジゴム等柔軟な板とつぼ押し等を行うためのゴム等の球体を有し、柔軟な板は貫通した穴を設け、穴の形態は球体が収まる大穴、球体が少し沈み込む程度の中穴、球体が乗せられる程度の小穴で、直線状に並んだ状態であり、いずれかの穴に球体を移動させることで凸の高さを変化させ、圧迫の強弱をつけることができ、球体には貫通した穴を設け、穴に紐を通し、紐の両端を板に設けた穴の直線状の延長線にあたる板の両端に接着することで、球体の移動を板に設けた穴の並びに制限でき、クッションの膨らみは粒状のポリスチレン等を詰めることで維持し、ポリスチレン等をクッション内に余裕がある程度に詰めることで球体の移動が可能な状態を維持し、このクッション上に座ることで体重がかかり、球体の部分が圧迫されつぼ押しをしているかのような刺激が得られる。
以上を特徴とする肉球つぼ押しクッションである。
【発明の効果】
【０００６】  従来、つぼ押し効果のあるクッションは圧迫をかける場所が固定されていたが、手のひらサイズのクッションのため自分の好みの部位に移動させ圧迫をかけることができ、２個１組なので左右の位置が好みで移動できる。
つぼ押し部の球状の凸の高さを変えることで圧迫の強弱をつけることが可能である。
オフィスの椅子に置かれた外観が可愛らしい。
【図面の簡単な説明】
【０００７】
【図１】  本発明の椅子に置いた時を示した正面図である。
【図２】  本発明の内部に備えたスポンジゴムとつぼ押し球体の正面図である。
【図３】  本発明の内部に備えたスポンジゴムとつぼ押し球体の側面図である。
【図４】  本発明を使用している状態の斜視図である。
【本発明を実施するための形態】
【０００８】  以下、本発明の実施の形態を説明する。
犬・猫等の肉球の形状をした手のひらサイズのクッション（１）の外観を有し、クッションは２個で１組である。
【０００９】  内部にスポンジゴム等柔軟な板（２）と、つぼ押し等を行うためのゴム等の球体（３）を有し、柔軟な板（２）は貫通した穴を設け、穴の形態は球体（３）が収まる大穴（４Ａ）、球体が少し沈み込む程度の中穴（４Ｂ）、球体が乗せられる程度の小穴（４Ｃ）で、直線状に並んだ状態であり、いずれかの穴に球体（３）を移動させることで凸の高さを変化させ、圧迫の強弱をつけることができる。
【００１０】  球体（３）には貫通した穴（３Ａ）を設け、穴に紐（５）を通し、紐（５）の両端を板に設けた穴の直線状の延長線にあたる板の両端（２Ａ）に接着することで、球体（３）の移動を板に設けた穴の並びに制限できる。
【００１１】  クッションの膨らみは粒状のポリスチレン等（６）を詰めることで維持し、ポリスチレン等（６）をクッション内に余裕がある程度に詰めることで球体（３）の移動が可能な状態を維持し、このクッション上に座る（８）ことで体重がかかり、球体（３）の部分が圧迫されつぼ押しをしているかのような刺激が得られる。
本発明は以上のような構成であり、以下これを実際に使用する場合の諸形態を説明する。
本発明自体が犬・猫等の肉球の形状をした手のひらサイズのクッション（１）で椅子（７）の上に置いてあってもとても可愛らしい。
クッションの内部に備えたスポンジゴム等柔軟な板（２）の上の球体（３）を自分好みの圧迫になるように大穴（４Ａ）、中穴（４Ｂ）、小穴（４Ｃ）、のいずれかにセットし、クッションを好みの場所に置きその上に座る（８）。
球体（３）を内部に備えたクッション（１）の上に座る（８）ことで体重がかかり、球体の部分が圧迫され、つぼ押しをしているかのような刺激が得られる。
【符号の説明】
【００１２】１    犬・猫等の肉球の形状をした手のひらサイズのクッション
２    スポンジゴム等柔軟な板
２Ａ  板の両端
３    ゴム等の球体
３Ａ  球体に貫通した穴
４Ａ  ゴム等の球体が収まる大穴
４Ｂ  ゴム等の球体が少し沈み込む程度の中穴
４Ｃ  ゴム等の球体が乗せられる程度の小穴
５    紐
６    粒状のポリスチレン等
７    椅子
８    クッションの上に座る後姿
【図１】
2019048016.tif 000003
【図２】
2019048016.tif 000004
【図３】
2019048016.tif 000005
【図４】
2019048016.tif 000006